(57)【要約】【課題】ピアノの構成部品としての長尺部品を、反りを発生させることなく、被取付け部材に取り付けることができ、しかも、透明なピアノに適用した場合でも、良好な外観を確保することができるピアノの長尺部品の取付構造を提供する。【解決手段】ピアノ１の構成部品としての下口棒９を、その長さ方向の全体にわたって、棚板８に取り付けるピアノの長尺部品の取付け構造であって、下口棒９は、その長さ方向の全体にわたり、棚板８に当接する当接面９ｃと、下口棒９の長さ方向の全体にわたって延び、当接面９ｃよりも棚板８側に所定長さ突出する取付け用凸部９ｆと、を有し、棚板８は、下口棒９の当接面９ｃが当接する被当接面８ａと、取付け用凸部９ｆが嵌合する長溝８ｂと、を有している。【選択図】図２
2019174592.tif 000002
【特許請求の範囲】
【請求項１】
ピアノの構成部品としての長尺部品を、その長さ方向の全体にわたって、被取付け部材に取り付けるピアノの長尺部品の取付け構造であって、
前記長尺部品は、その長さ方向の全体にわたり、前記被取付け部材に当接する当接面と、当該長尺部品の長さ方向の全体にわたって延び、前記当接面よりも前記被取付け部材側に所定長さ突出する取付け用凸部と、を有し、
前記被取付け部材は、前記長尺部品の前記当接面が当接する被当接面と、前記取付け用凸部が嵌合する嵌合凹部と、を有していることを特徴とするピアノの長尺部品の取付け構造。
【請求項２】
前記長尺部品は、ピアノの口棒であり、前記被取付け部材は、ピアノの棚板であり、
前記口棒は、単一の材料から成るとともに前記取付け用凸部が一体に構成され、前記棚板に着脱自在に取り付けられていることを特徴とする請求項１に記載のピアノの長尺部品の取付け構造。
【請求項３】
前記口棒及び前記棚板は、透明な合成樹脂で構成されていることを特徴とする請求項２に記載のピアノの長尺部品の取付け構造。
【発明の詳細な説明】
【技術分野】
【０００１】
本発明は、ピアノの構成部品として用いられる口棒などの長尺部品を、その長さ方向の全体にわたって、棚板などの被取付け部材に取り付けるピアノの長尺部品の取付け構造に関する。
【背景技術】
【０００２】
一般に、グランドピアノの口棒（下口棒）は、左右方向に比較的長く延び、鍵盤を下方から支持する水平な棚板の前端部に取り付けられており、ピアノの鍵盤蓋が閉じられた際に、その鍵盤蓋の前端部を下方から支持するものである。また、この下口棒については通常、鍵盤の調整などの際に、鍵盤をピアノの前方に引き出せるようにするために、棚板から取り外すことができ、また、調整後に元に戻せるように構成されている。
【０００３】
従来、ピアノの下口棒を棚板に取り付ける取付け構造として、例えば下口棒の底面に、その長さ方向に沿って複数のダボを所定間隔ごとに突設する一方、それらのダボに対応するよう、棚板の上面前端部に複数のダボ穴を形成し、各ダボをダボ穴に挿入することにより、下口棒が棚板の上面前端部に取り付けられている。しかし、下口棒が木製である場合、経年変化やピアノの使用環境などにより、長尺な下口棒が前後方向に反ることがある。この場合、下口棒において、後方の鍵盤側に反った部位と鍵盤との隙間が非常に狭くなり、下口棒の取付け及び取外しの際などに、下口棒が鍵盤に当たることで、鍵盤が損傷するおそれがある。このような不具合を回避するために、従来、例えば特許文献１に記載された下口棒の取付け構造が知られている。
【０００４】
この下口棒では、その背面に、長さ方向の全体にわたり、横断面がＬ字状に形成された金属製のＬ字部材が取り付けられている。より具体的には、Ｌ字部材は、互いに直角を為すように連なった固着部と延出部によって構成され、固着部が下口棒の背面に複数の木ねじで取り付けられる一方、延出部が後方に突出し、棚板の前面に形成された受け部に挿入されるようになっている。そして、Ｌ字部材の延出部を棚板の受け部に挿入した状態で、口棒着脱用ねじを棚板の下方からねじ込むことにより、下口棒が棚板の前端に取り付けられている。
【先行技術文献】
【特許文献】
【０００５】
【特許文献１】特開平１０−６３２６０号公報
【発明の概要】
【発明が解決しようとする課題】
【０００６】
上記のＬ字部材が取り付けられた下口棒では、そのＬ字部材によって下口棒の前後方向の反りを抑制することは可能である。しかし、下口棒に別部材であるＬ字部材を複数の木ねじで取り付けなければならず、下口棒全体としての部品点数の増加に加えて、下口棒の作製に手間がかかってしまう。また、上記の下口棒の取付け構造を、外装部品が例えば透明な合成樹脂などで構成されたピアノに適用した場合、Ｌ字部材の他、複数の木ねじや口棒着脱用ねじなどが、ピアノの外部から見えることがあり、この場合には、ピアノの外観や見栄えが低下する。
【０００７】
本発明は、以上のような課題を解決するためになされたものであり、ピアノの構成部品としての長尺部品を、反りを発生させることなく、被取付け部材に取り付けることができ、しかも、透明なピアノに適用した場合でも、良好な外観を確保することができるピアノの長尺部品の取付け構造を提供することを目的とする。
【課題を解決するための手段】
【０００８】
上記の目的を達成するために、請求項１に係る発明は、ピアノの構成部品としての長尺部品を、その長さ方向の全体にわたって、被取付け部材に取り付けるピアノの長尺部品の取付け構造であって、長尺部品は、その長さ方向の全体にわたり、被取付け部材に当接する当接面と、長尺部品の長さ方向の全体にわたって延び、当接面よりも被取付け部材側に所定長さ突出する取付け用凸部と、を有し、被取付け部材は、長尺部品の当接面が当接する被当接面と、取付け用凸部が嵌合する嵌合凹部と、を有していることを特徴とする。
【０００９】
この構成によれば、ピアノの構成部品としての長尺部品が、その長さ方向の全体にわたる上記の当接面及び取付け用凸部を有する一方、この長尺部品が取り付けられる被取付け部材には、長尺部品の当接面が当接する被当接面、及び長尺部品の取付け用凸部が嵌合する嵌合凹部が設けられている。長尺部品が被取付け部材に取り付けられた状態では、長尺部品の当接面が被取付け部材の被当接面に当接するので、その長尺部品を、被取付け部材によって、被当接面側からしっかりと支持することができる。また、長尺部品の取付け用凸部が被取付け部材の嵌合凹部に嵌合するので、長尺部品の長さ方向の全体にわたる取付け用凸部の変形が抑制され、その結果、長尺部品の全体としての反りの発生も、効果的に防止することができる。
【００１０】
請求項２に係る発明は、請求項１に記載のピアノの長尺部品の取付構造において、長尺部品は、ピアノの口棒であり、被取付け部材は、ピアノの棚板であり、口棒は、単一の材料から成るとともに取付け用凸部が一体に構成され、棚板に着脱自在に取り付けられていることを特徴とする。
【００１１】
この構成によれば、長尺部品がピアノの口棒であり、この口棒が単一の材料から成るとともに上記取付け用凸部が一体に構成されている。したがって、口棒の取付け用凸部を棚板の係合凹部に嵌合させるだけで、口棒を棚板に容易に着脱自在に取り付けることができ、従来に比べて、口棒の部品点数を低減することができる。
【００１２】
請求項３に係る発明は、請求項２に記載のピアノの長尺部品の取付構造において、口棒及び棚板は、透明な合成樹脂で構成されていることを特徴とする。
【００１３】
この構成によれば、棚板への口棒の取付け部分は、口棒の取付け用凸部を棚板の嵌合凹部に嵌合させた部分のみであるので、従来の取付け構造を透明な材料から成る口棒及び棚板に適用する場合と異なり、上記の取付け部分にＬ字部材や複数のねじなどが外部から見えることはなく、ピアノの良好な外観を確保することができる。
【図面の簡単な説明】
【００１４】
【図１】本発明の一実施形態による長尺部品の取付け構造を、棚板への下口棒の取付けに適用したグランドピアノを示す斜視図である。
【図２】図１のグランドピアノにおける棚板及び下口棒を示す斜視図であり、（ａ）は下口棒を棚板に取り付けた状態、（ｂ）は下口棒を棚板から取り外した状態を示す。
【図３】下口棒及び棚板の一部を示す縦断面図であり、（ａ）は下口棒を棚板に取り付けた状態、（ｂ）は下口棒を棚板から取り外した状態を示す。の縦断面を示す図である。
【発明を実施するための形態】
【００１５】
以下、図面を参照しながら、本発明の好ましい実施形態を詳細に説明する。図１は、本発明の一実施形態による長尺部品の取付け構造を、棚板への下口棒の取付けに適用したグランドピアノを示している。このピアノ１は、外装部品の大部分が透明な合成樹脂（例えばアクリル樹脂）で構成された、いわゆる透明グランドピアノであり、３本の脚部１ａで下方から支持されたピアノ本体２と、その上面を開閉する大屋根３とを備えている。
【００１６】
ピアノ本体２の前部には、多数の白鍵及び黒鍵を左右方向に並設した鍵盤４が設けられ、その上方に、鍵盤４を開閉する鍵盤蓋５が設けられている。また、ピアノ本体２の後部には、所定形状の金属製のフレーム６が設けられ、そのフレーム６の側方を囲うように、側板７が配置されている。なお、上記の大屋根３は、側板７の平面形状とほぼ同様の外形を有する大屋根後３ａと、横長矩形状に形成され、大屋根後３ａの前側にヒンジ（図示せず）を介して折り畳み可能に連結された大屋根前３ｂとを有している。
【００１７】
また、ピアノ本体２の底面前部には、図示しない筬を介して、鍵盤４を下方から支持する棚板８（被取付け部材）が設けられている。加えて、この棚板８の前端部、具体的には、鍵盤４の直ぐ前側には、下口棒９（長尺部品）が着脱自在に取り付けられている。なお、これらの棚板８及び下口棒９は、前述したように、透明な合成樹脂で構成されている。
【００１８】
図２は、棚板８及び下口棒９を示しており、同図（ａ）は下口棒９を棚板８に取り付けた状態、同図（ｂ）は下口棒９を棚板８から取り外した状態を示している。同図に示すように、棚板８は、所定の厚さを有するとともに平面形状が横長矩形状に形成されており、上面８ａ（被当接面）の前端部に、上方に開口しかつ左右方向に所定長さ延びる長溝８ｂ（嵌合凹部）が形成されている。この長溝８ｂは、下口棒９の長さと同じ長さを有するとともに、下口棒９の後述する取付け用凸部９ｆの突出長さとほぼ同じ深さを有している。
【００１９】
一方、下口棒９は、図３（ｂ）に示すように、前面９ａ、背面９ｂ、底面９ｃ、上面９ｄ及び斜面９ｅによって、前後方向（図３の左右方向）及び上下方向にそれぞれ所定の厚さ及び高さを有し、断面形状が所定サイズの台形状に形成されている。また、下口棒９には、その長さ方向の全体にわたって延びるとともに、底面９ｃから下方に所定長さ突出しかつ背面９ｂと面一に構成され、棚板８の長溝８ｂに嵌合する取付け用凸部９ｆが設けられている。
【００２０】
なお、下口棒９の作製については、例えば、図３（ｂ）に示す断面形状の押出口を有するダイスを用い、合成樹脂を押出成形によって成形したり、断面形状が縦長矩形状に押し出された合成樹脂の材料を、適宜切削したりすることによって、比較的容易に作製することができる。
【００２１】
上記のように構成された棚板８及び下口棒９では、図３（ａ）に示すように、下口棒９の取付け用凸部９ｆが棚板８の長溝８ｂに嵌合するとともに、下口棒９の底面９ｃが棚板８の上面８ａに当接した状態で、下口棒９が棚板８に着脱自在に取り付けられる。なお、棚板８に取り付けられた下口棒９は、その両端部において、左右の拍子木１０（図１において左側のもののみ図示）により、上方へ移動不能な状態で係止される。
【００２２】
また、上記のように下口棒９が棚板８に取り付けられた状態では、下口棒９の底面９ｃの前端部が棚板８の前端よりも前方に若干突出している。これにより、鍵盤４の調整などの際に、下口棒９を棚板８から取り外す際に、左右の拍子木１０による両端部の係止を解除した後、適切な工具などを用い、下口棒９の突出した底面９ｃに下方から外力を加えることで、下口棒９を棚板８から容易に取り外すことができる。
【００２３】
以上のように、本実施形態によれば、下口棒９が棚板８に取り付けられた状態では、下口棒９の底面９ｃが棚板８の上面８ａに当接するので、下口棒９を、棚板８によって、下方からしっかりと支持することができる。また、下口棒９の取付け用凸部９ｆが棚板８の長溝８ｂに嵌合するので、下口棒９の長さ方向の全体にわたる取付け用凸部９ｆの変形が抑制され、その結果、下口棒９の全体としての反りの発生も、効果的に防止することができる。また、下口棒９を棚板８に取り付ける際には、下口棒９の取付け用凸部９ｆを棚板８の長溝８ｂに嵌合させるだけで、下口棒９を棚板８に容易に取り付けることができ、従来に比べて、下口棒９の部品点数を低減することができる。さらに、棚板８への下口棒９の取付け部分は、下口棒９の取付け用凸部９ｆを棚板８の長溝８ｂに嵌合させた部分のみであるので、従来の取付け構造を透明な材料から成る下口棒及び棚板に適用する場合と異なり、上記の取付け部分にＬ字部材や複数のねじなどが外部から見えることはなく、ピアノ１の良好な外観を確保することができる。
【００２４】
なお、本発明は、説明した上記実施形態に限定されることなく、種々の態様で実施することができる。例えば、実施形態では、本発明の取付け構造が適用される長尺部品として、グランドピアノの下口棒９を例示したが、本発明はこれに限定されるものではなく、ピアノの構成部品として用いられる他の長尺な部品の取付け構造に適用することも可能である。例えば、ピアノ１において、左右方向に延びる上口棒１１を、大屋根前３ｂの下面前端部に取り付ける取付け構造に適用することも可能である。なおこの場合、上口棒１１は、大屋根前３ｂから取り外す必要がないので、接着剤などを用いて、大屋根前３ｂに固定することが好ましい。
【００２５】
また、実施形態では、棚板８及び下口棒９が透明な合成樹脂で構成されたグランドピアノについて説明したが、本発明はこれに限定されるものではなく、棚板８及び下口棒９などが木材で構成される一般的なグランドピアノはもちろん、棚板に口棒が取り付けられるアップライトピアノなどにも適用することが可能である。さらに、実施形態で示した棚板８及び下口棒９の細部の構成などは、あくまで例示であり、本発明の趣旨の範囲内で適宜、変更することができる。
【符号の説明】
【００２６】
１    ピアノ
２    ピアノ本体
３    大屋根
３ｂ  大屋根前（被取付け部材）
４    鍵盤
８    棚板（被取付け部材）
８ａ  棚板の上面（被当接面）
８ｂ  棚板の長溝（嵌合凹部）
９    下口棒（長尺部品）
９ｃ  底面（当接面）
９ｆ  取付け用凸部
１１  上口棒（長尺部品）
【図１】
2019174592.tif 000003
【図２】
2019174592.tif 000004
【図３】
2019174592.tif 000005